(57)【特許請求の範囲】
【請求項１】
試料の成分分析を行う分析装置において、
前記試料の成分分析に用いられる情報又は当該試料の成分分析によって得られる情報を記憶する第１記憶手段と、
前記第１記憶手段に記憶された情報のうち、識別子が付与された情報をバックアップ情報として記憶する第２記憶手段と、
前記第２記憶手段に記憶された前記バックアップ情報を前記識別情報に基づいて選択する選択手段と、
前記選択手段により選択されたバックアップ情報に基づいてリカバリ操作を行うリカバリ手段と、
を備えることを特徴とする分析装置。
【請求項２】
試料の成分分析を行う分析装置において、
前記試料の成分分析に用いられる情報又は当該試料の成分分析によって得られる情報を記憶する第１記憶手段と、
前記第１記憶手段に記憶された情報のうち、見出し付きのファイル形式の情報をバックアップ情報として記憶する第２記憶手段と、
前記第２記憶手段に記憶された前記バックアップ情報を前記見出しに基づいて選択する選択手段と、
前記選択手段により選択されたバックアップ情報に基づいてリカバリ操作を行うリカバリ手段と、
を備えることを特徴とする分析装置。
【請求項３】
前記ファイルは、ＣＳＶファイルであることを特徴とする請求項２記載の分析装置。
【請求項４】
試料の成分分析を行う分析装置において、
前記試料の成分分析に用いられる情報又は当該試料の成分分析によって得られる情報を記憶する第１記憶手段と、
前記第１記憶手段に記憶された情報のうち、マークアップ言語を用いて識別子が付与されたファイル形式の情報をバックアップ情報として記憶する第２記憶手段と、
前記第２記憶手段に記憶された前記バックアップ情報を前記識別情報に基づいて選択する選択手段と、
前記選択手段により選択されたバックアップ情報に基づいてリカバリ操作を行うリカバリ手段と、
を備えることを特徴とする分析装置。
【請求項５】
前記マークアップ言語は、ＸＭＬであることを特徴とする請求項４記載の分析装置。
【請求項６】
前記分析装置の少なくともシステム構成情報、測定条件情報、メンテナンス情報、ログ情報のいずれか１つを外部に送信、あるいは外部から受信する情報通信手段を備えることを特徴とする請求項１乃至請求項５記載の分析装置。
【請求項７】
前記情報通信手段による送信または受信は、マークアップ言語により行なわれることを特徴とする請求項６記載の分析装置。
【発明の詳細な説明】
【０００１】
【発明の属する技術分野】
本発明は、分析装置の管理・運用に関し、特には操作者の管理・運用作業の負担を軽減できる分析装置に関する。
【０００２】
【従来の技術】
従来より、血清などの試料の成分分析を自動で行なう自動分析装置においては、測定したい試料をカップまたは採血管に取り、これらを架設できる試料ラックに配置して、装置のサンプラにのせ、試料ごとに試料情報と測定したい成分を依頼項目とする依頼情報を装置に登録して測定する。
【０００３】
測定は、依頼項目毎に希釈などの溶液や専用試薬を対象試料に加え、攪拌などの後、吸光度や電位などを測定することにより予め濃度が特定できている試料により作成された検量線から、結果（濃度）を求める。こうして得られた結果は、試料情報とともに画面表示、印刷、オンライン出力などを通して報告される。
【０００４】
これら一連の測定は、多くの条件や情報に基づいてソフトウェアが各種ハードウェアユニットを制御して実現され、例えば、項目定義情報、試薬情報、標準試料情報、結果印刷フォーマット、システム構成情報、測定条件、メンテナンス情報、施設情報、エラー等のログ情報などである。また、測定により得られる情報として、検量線データ、ＱＣ（精度管理）データ、結果データなどがある。
【０００５】
近年、これらのうち、結果データや前述の測定のための依頼情報は、外部の検査室システム（ＬＩＳ）や病院システム（ＨＩＳ）とのネットワーク接続やオンライン接続により、容易に他システムとの相互伝達ができるようになった。
【０００６】
今後、検体数の増加、測定項目の多様化と装置ダウン対策の必要性にともない、検査室には、同機種を複数台、また異機種を複数台設置することがますます増えることが予想される。さらにひとつの装置で測定できる測定項目も年々増えており、上記の情報は益々複雑になり、情報量が増大することが予想される。
【０００７】
このため、以下の要件を満たす自動分析装置が望まれるようになっている。ダウンタイムの短縮のため、ハードウェアの破損に備えて、上記装置内登録情報のバックアップとリカバリが容易かつ確実にできること。また、操作者の操作負担軽減のため、各製造元が作成するデータシートに基づく試薬情報、標準試料情報を装置内に容易に取り込み、また更新できること。また、詳細が定義される項目定義情報を装置内に容易に取り込み、また更新できること。また、同様に装置内の施設固有の情報をその情報の変化に応じて容易に更新できること。また、ダウンタイムの短縮を目的とするリモートメンテナンスに、容易に対応できるように、装置のシステム構成、測定条件、メンテナンス情報、ログ情報を容易に遠隔地操作できること。また、検量線データ、ＱＣデータや測定試料データを容易かつわかりやすい情報として外部に取り出せること。また、装置間で、情報の共有化ができることなどである。
【０００８】
従来技術として、分析装置内の各データは、外部のコンピュータなどで解析をするために、ＣＳＶ（ＣｏｍｍａＳｅｐａｒａｔｅｄＶａｌｕｅ）フォーマットのテキストファイルとして取り出す仕組みをもつ自動分析装置もあるが、通常はこれらすべての情報はバイナリファイルとして保存されており、専用ソフトウェアを使用しなければ、内容の表示／編集はできない。また、装置内に情報を取り込むにも、操作者がすべて手入力するしかなかった。
【０００９】
【発明が解決しようとする課題】
しかしながら従来の技術においては、高速かつ必要なバックアップとリカバリができなかった。さらに、同一ディスク内を使用した場合、何らかの理由でディスク破壊が起こったときにリカバリができなかったり、アクセス速度が遅く、容量の少ないＦＤやＭＯでは、高速かつ確実（全データ）をバックアップするのは時間と労力がかかってしまっていた。
【００１０】
また、汎用技術であるディスクのミラーリングでは、装置管理者の保存しておきたい情報を確保できないうえに、決して最新状態がバックアップしておきたい状態とは限らなかった。
【００１１】
また、各種情報を保存するファイルは、機種ごとに内容と配置が異なるバイナリフォーマットであり、その形式でしか、外部に取り出せず、手入力による設定・登録しかできなかった。
【００１２】
また、同一機種で異なる装置間や異機種間での情報共有ができず、専用ソフトウェアを使用しないと情報表示・編集もできなかった。
【００１３】
本発明は、リカバリにおいて操作者が必要とする状態に速やかに状態復元ができることを目的とする。
【００１４】
【課題を解決するための手段】
上記課題を解決するために請求項１に記載の本発明においては、試料の成分分析を行う分析装置において、前記試料の成分分析に用いられる情報又は当該試料の成分分析によって得られる情報を記憶する第１記憶手段と、前記第１記憶手段に記憶された情報のうち、識別子が付与された情報をバックアップ情報として記憶する第２記憶手段と、前記第２記憶手段に記憶された前記バックアップ情報を前記識別情報に基づいて選択する選択手段と、前記選択手段により選択されたバックアップ情報に基づいてリカバリ操作を行うリカバリ手段と、を備えることを特徴とする。
また、上記課題を解決するために請求項２に記載の本発明においては、試料の成分分析を行う分析装置において、前記試料の成分分析に用いられる情報又は当該試料の成分分析によって得られる情報を記憶する第１記憶手段と、前記第１記憶手段に記憶された情報のうち、見出し付きのファイル形式の情報をバックアップ情報として記憶する第２記憶手段と、前記第２記憶手段に記憶された前記バックアップ情報を前記見出しに基づいて選択する選択手段と、前記選択手段により選択されたバックアップ情報に基づいてリカバリ操作を行うリカバリ手段と、を備えることを特徴とする。
また、上記課題を解決するために請求項４に記載の本発明においては、試料の成分分析を行う分析装置において、前記試料の成分分析に用いられる情報又は当該試料の成分分析によって得られる情報を記憶する第１記憶手段と、前記第１記憶手段に記憶された情報のうち、マークアップ言語を用いて識別子が付与されたファイル形式の情報をバックアップ情報として記憶する第２記憶手段と、前記第２記憶手段に記憶された前記バックアップ情報を前記識別情報に基づいて選択する選択手段と、前記選択手段により選択されたバックアップ情報に基づいてリカバリ操作を行うリカバリ手段と、を備えることを特徴とする。
【００１８】
【発明の実施の形態】
＜第１の実施の形態＞
図１に、本発明の第１の実施の形態にかかる機能ブロック図を説明する。
【００１９】
本発明の第１の実施の形態による分析装置は、項目定義情報設定・記憶・表示手段１と、試薬情報設定・記憶・表示手段２と、標準試料情報設定・記憶・表示手段３と、精度管理データ４と、検量線データ５と、測定条件６と、システム構成７と、メンテナンス情報８と、エラーログ情報９と、施設情報１０と、印刷フォーマット１１と、依頼／結果データ１２と、試料測定手段１３と、機構制御手段１４と、記憶媒体制御手段１５と、情報記憶手段１６と、オンライン手段１７と、印刷手段１８と、入力装置１９と、表示装置２０と、制御部２１とから構成されている。
【００２０】
制御部２１はＣＰＵやメモリなどからなる図示しないコンピュータにより構成されており、制御部２１に接続されている項目定義情報設定・記憶・表示手段１と、試薬情報設定・記憶・表示手段２と、標準試料情報設定・記憶・表示手段３と、精度管理データ記憶・表示手段４と、検量線データ記憶・表示手段５と、測定条件設定・記憶・表示手段６と、システム構成設定・記憶・表示手段７と、メンテナンス情報設定・記憶・表示手段８と、エラーログ情報記憶・表示手段９と、施設情報設定・記憶・表示手段１０と、印刷フォーマット設定・記憶・表示手段１１と、依頼／結果データ設定・記憶・表示手段１２よりなる構成は、操作者とコンピュータとの情報交換のためのユーザ・インターフェイスを制御するソフトウェアにより構築されている。
【００２１】
また、制御部２１に接続される試料測定手段１３と、機構制御手段１４と、記憶媒体制御手段１５と、情報記憶手段１６と、オンライン手段１７と、印刷手段１８は、各種機構とハードウェアおよび制御ソフトウェアから構成されている。
【００２２】
このような構成において、まず制御部２１は、項目定義情報設定・記憶・表示手段１、試薬情報設定・記憶・表示手段２、標準試料情報設定・記憶・表示手段３、精度管理データ記憶・表示手段４、検量線データ記憶・表示手段５、測定条件設定・記憶・表示手段６、システム構成設定・記憶・表示手段７、メンテナンス情報設定・記憶・表示手段８、エラーログ情報記憶・表示手段９、施設情報設定・記憶・表示手段１０、印刷フォーマット設定・記憶・表示手段１１のそれぞれの各情報を読取る。また同時に操作者の手入力または記憶媒体制御手段１５から読み取り情報記憶手段１６に記憶する。
【００２３】
次に操作者の入力装置１９を介しての手入力または記憶媒体制御手段１５またはオンライン手段１７から得られる依頼／結果データ設定・記憶・表示手段１２をもとに試料測定手段１３、機構制御手段１４の機構を制御し試料に対して分析・測定を行う。測定結果は情報記憶手段１６に記憶され、依頼／結果データ設定・記憶・表示手段１２の備える設定・記憶・表示機能により表示および編集が可能となる。
【００２４】
次に、測定結果のうち検量線に関わるデータおよびＱＣ（ＱｕａｌｉｔｙＣｏｎｔｒｏｌ）に関わるデータは情報記憶手段１６に記憶され、それぞれ精度管理データ記憶・表示手段４、検量線データ記憶・表示手段５により表示可能となる。
【００２５】
次に、動作回数などの保守情報は情報記憶手段１６に記憶され、メンテナンス情報設定・記憶・表示手段８により表示可能となる。
【００２６】
次に、動作中に発生したエラー情報は情報記憶手段１６に記憶され、エラーログ情報記憶・表示手段９により表示可能となる。
【００２７】
次に、測定結果は操作者の指示または自動的にオンライン手段１７を介して図示しないホストコンピュータへ送信されたり、あるいは印刷手段１８にて印刷出力される。
【００２８】
図２は、本発明の第１の実施の形態に備わる情報記憶手段１６の構成を示し、たとえば情報記憶手段としてのハードディスク（ＨＤＤ）を２台用いている。この構成においては、第１のハードディスク２３を通常使用するハードディスクドライブとし、このハードディスク内部の使用領域をたとえばＣ：ＯＳを含むシステム・パーティション、Ｄ：自動分析装置の制御ソフトウェア・パーティション、Ｅ：装置内登録情報やデータベース用データ・パーティション、の３つに分ける。また、第２のハードディスク２４をデータバックアップ専用ディスクとし、たとえばＦ：バックアップ・パーティションとする。
【００２９】
次に、図３に示すような操作画面を表示装置２０に表示し、この画面に従い入力装置１９を介して行う操作により操作者はデータバックアップと本発明の分析装置のリカバリを実施できる。このデータバックアップの操作は、上述のパーティションＥの内容をパーティションＦへ移動し、またリカバリ操作はその逆とする。なお、このバックアップ操作時のオプションとして、図３に示すように前回バックアップ時の内容を破棄した後に行うことを選択可能とし、バックアップの内容を明確にすることができる。
【００３０】
ここで、バックアップを作成する条件としては、手動または自動電源ＯＦＦ前に自動バックアップを行い、そのバックアップ対象は項目定義情報設定・記憶・表示手段１と、試薬情報設定・記憶・表示手段２と、標準試料情報設定・記憶・表示手段３と、精度管理データ記憶・表示手段４と、検量線データ記憶・表示手段５と、測定条件設定・記憶・表示手段６と、システム構成設定・記憶・表示手段７と、メンテナンス情報設定・記憶・表示手段８と、エラーログ情報記憶・表示手段９と、施設情報設定・記憶・表示手段１０と、印刷フォーマット設定・記憶・表示手段１１と、依頼／結果データ設定・記憶・表示手段１２を含む全情報である。
【００３１】
また、予め設定された所定の条件による自動バックアップも行うことが可能であり、たとえば測定開始（キャリブレーションも含む）、ＳＴＡＴ開始、ポーズ、ポーズ解除などの操作時のような装置の状態が変化する条件にて行う。あるいは、各種情報の削除操作により、実際の削除動作前にバックアップを行い、あるいは、所定間隔での定期的なバックアップでも良い。
【００３２】
バックアップされる情報は１回分以上保存できるものとし、設定されたバックアップの条件によりそれぞれの条件において２回分ずつといった設定もできる。このようにバックアップすると複数の異なった条件でのバックアップ情報が保存されることになる。この保存されたバックアップ情報の中から容易に所望する情報を呼出してリカバリする必要が生じる。このためそれぞれのバックアップ情報には識別のためのタグ情報が附与されており、操作者はこのタグ情報に基づいてデータ内容を知り、所望するバックアップ情報を選択してリカバリ操作を行うことができる。
【００３３】
このリカバリ操作により再現が可能な状態としては、たとえば前回の分析装置の電源がＯＦＦになる前の状態や、あるいはエラー検出がされる前の状態、誤操作による情報削除または変更前の状態に復帰させることができる。リカバリによる状態の復帰のタイミングとしては、たとえば分析装置の再立ち上げ時や、あるいは任意のタイミングにおいて、過去にバックアップされた複数の復帰状態の中からリカバリされる内容を選択して行われる。
【００３４】
以上のようなバックアップならびにリカバリの操作によれば、操作者をわずらわすことなく容易にバックアップが行え、情報管理・運用のための作業負担を軽減でき、リカバリの時間が短くなる。またバックアップを取るべきパーティションが明確になり、自動や手動のいずれの方法においても誤操作などの発生を防止でき、また、物理的に記憶手段を分けることにより予期しない破損に対しても有効なリカバリが可能となる。また、必要な情報はすべてバックアップがなされるので、信頼性が向上し、更にハードディスクドライブを用いることで高速のリカバリおよびバックアップが実現できる。
【００３５】
また、予め設定された条件にてバックアップやリカバリが行えるので、操作者が意識的にバックアップを行わずとも適切なバックアップが実施され、また、リカバリにおいても操作者が必要とする状態に速やかに状態復元ができる。
【００３６】
また、リカバリ時のオプションとして現在パーティションＥに含まれる内容とパーティションＦに含まれる内容が一致する場合のみリカバリすることを選択可能とする。これはバックアップ後において削除した内容などをリカバリしたくないときに使用する。
【００３７】
また、万一にパーティションＣ、Ｄ、Ｅを含む第１のハードディスク２３が破損しても、パーティションＣ，Ｄの内容は、たとえば装置に添付されることが多いリカバリＣＤなどから復元できる。加えて本発明の機能により、パーティションＥも容易にリカバリでき分析装置の信頼性が向上し、操作者の作業負担を軽減可能となる。
【００３８】
また、上述の説明に補足する操作として、たとえば第１のハードディスク２３の記憶容量が十分あれば、パーティションＤ、Ｅおよびオペレーティングシステム（ＯＳ）までを含むパーティションＣ，Ｄ，Ｅをすべてバックアップしても良い。あるいは図示しない第３のハードディスクなどを更に追加してバックアップ機能をより強化することもできる。また、バックアップ後やリカバリ後に、内容比較ソフトウェアを追加して、より確実で強化された堅牢なシステム構成にすることもできる。
【００３９】
＜第２の実施の形態＞
図４には、先の第１の実施の形態にて説明した本発明の分析装置による構成を前提として、見出し付きＣＳＶ（ＣｏｍｍａＳｅｐａｒａｔｅｄＶａｌｕｅ）ファイル２７の一つの例を示している。このＣＳＶファイル２７を使って試薬の情報の管理および運用、試薬情報，標準試料情報、項目定義ファイルなどを分析装置へ取り込みあるいは取り出しができる。また、それらを保存するＦＤ（Ｆｌｏｐｐｙ（登録商標）Ｄｉｓｋ）メディアが使用できる記憶媒体制御手段１６を用いる。なお、試薬情報を説明のための一つの例として以下に説明する。
【００４０】
まず本発明の分析装置では、図５に示すような個別データ入力画面２８が表示装置２０に表示され、この表示に従い試薬を登録できる。この登録は、これらの情報を設定要素名の見出し付きのＣＳＶファイル２７のフォーマットでＦＤに書きだすことができる。また、図４に示すＣＳＶファイル２７と同様のフォーマットであれば、見出し行を読むことにより、情報の種類と設定内容をソフトウェアで解釈し、登録できる。したがって、情報の並び順が変わっても、見出しとの対応を保つことにより、所望する正確な登録操作を行うことができる。
【００４１】
以上のような登録操作において、個別データ入力画面２８に従い入力される複数種類の個々の試薬を、いったん試薬ライブラリとして一度に分析装置に読み込む。その後、分析装置内のあらかじめ設定されていた所定の位置に試薬名もしくは試薬ＩＤで登録される。この登録された試薬ライブラリの内容は図６に示すようなライブラリ画面２９が表示装置２０に画面表示されるので、このライブラリ画面２９に従い操作者は内容を検索することができる。
【００４２】
このライブラリ画面２９においては、たとえば「ライブラリボタン」を選択することにより個別データ入力画面２８が呼出される。操作者はこの個別データ入力画面２８に対して個々の試薬のデータ入力をして登録を行う。一方、ライブラリ画面２９を呼出し、たとえば試薬の個々の入力済みデータの配置場所を選択して選択ボタンを押すと、個別データ入力画面２８で登録した試薬の一覧が表示され、操作者が所望する試薬データを選択することができる。
【００４３】
以上の試薬データの読み込みおよび書き出しについて、詳細に説明するならば、まず読み込みについては以下の過程を経て読み込みが行われる。まず、図４に示したＣＳＶファイル２７の１行目にある「試薬ＩＤ」などの要素名を固定情報として持つ。その固定情報に対応する内容を、必要量（この実施の形態では必要な試薬本数）保存できる記憶領域をもち、読み込み時には対応する見出し位置にあるデータをその記憶領域に読み込む。ＣＳＶファイル２７では、１本目の試薬データの２つめのデータ”Ｃａ”は１本目の試薬の試薬名として記憶される。
【００４４】
また、重複したデータの読み込みを禁止する必要がある場合には、例えば、試薬ＩＤをキーとして、すでに記憶領域を検索し、読み込まれている試薬に該当すれば、「重複するため、登録できません」という旨のエラーを表示装置２０の画面に表示して読み飛ばす仕組みを持ってもよい。あるいはキーを複数もって重複チェックしてもよい。
【００４５】
次に、書き出しについて詳細に説明する。図４に示すＣＳＶファイル２７の例のように、最初の行に要素名を書き出し、２行目以降に、１行目の位置にあわせて、既に記憶している情報を、指定または必要本数分書き出す。
【００４６】
このような読み込みおよび書き出しを行うことにより、本発明の分析装置では見出しを各設定内容のマークとして、認識し、汎用の表計算ソフトウェアなどにより、装置外部でも作成管理できる。またこれにより、装置メーカは、各試薬メーカから試薬情報を容易に収集でき、前もって出荷時に装置へ導入しておくことができる。また操作者は、試薬情報を選択するだけでよくなり、入力が少ないので、誤操作も防止でき、操作者の作業負担を軽減できる。
【００４７】
＜第３の実施の形態＞
本発明の分析装置の第３の実施の形態においては、前提となる装置構成は先に説明した第１、第２の実施の形態に対して試薬の情報の管理・運用にＸＭＬ（ｅＸｔｅｎｓｉｂｌｅＭａｒｋｕｐＬａｎｇｕａｇｅ）を使用した構成に特徴を持つ。
【００４８】
図７は、既に図４にて示したＣＳＶファイル２７の内容をＸＭＬファイル３０を使って表記した例である。ＸＭＬはもともと情報交換用のデータ様式を定めた規格で、ＸＭＬファイル３０はＸＭＬの表記法にしたがって作成されたテキストデータである。このため、汎用のテキストエディタでの編集が可能の他、たとえば図８に示すような汎用のビューワ３１で階層表示させることもできる。
【００４９】
ビューワ３１やＸＭＬファイル３０により、第２の実施の形態により得られる効果をさらに有効なものとすることができる。また、ＸＭＬファイル３０では、独自のタグを定義できる。たとえば、＜ｃｏｌｕｍｎ＞で定義された６つの属性それぞれにタグを定義し、＜ｉｔｅｍ＞中に各タグに対応する文字列や値を定義していく構造をとっている。複数の＜ｉｔｅｍ＞を定義していくことで、複数の試薬を定義できる。
【００５０】
＜第４の実施の形態＞
第２および第３の実施の形態においては、本発明の分析装置の外部から情報を読み込んだり、外部へ情報を取り出すためにたとえばＦＤなどのリムーバブルメディアへ書き出していた。しかしながら分析装置内の記憶領域に、第３の実施の形態のような汎用のマークアップ言語（ＸＭＬ）を使用して記憶しておけば、ネットワークを介して、遠隔地から直接汎用のソフトウェアを使用して、装置情報を管理することができるため、他の装置間さらに遠隔地からの管理／運用を容易に制御可能とする。
【００５１】
この第４の実施の形態によるネットワークにて外部に送信あるいは受信できる情報は、先述の図１を参照して説明した第１の実施の形態によるシステム構成設定・記憶・表示手段７にて記憶されているシステム構成情報と、測定条件設定・記憶・表示手段６にて記憶されている測定条件情報と、メンテナンス情報設定・記憶・表示手段８にて記憶されているメンテナンス情報と、エラーログ情報記憶・表示手段９にて記憶されているログ情報である。
【００５２】
またこれらのシステム構成情報、測定条件情報、メンテナンス情報、ログ情報は情報記憶手段１６に記憶することも可能である。たとえばこれらの情報をネットワークにて送信する場合には、その送信が行われるタイミングが所定時間後などに設定された条件等によって、情報記憶手段１６に記憶された内容を読み出し送信する。
【００５３】
また、ネットワークにより送信された前記の情報は図示しない外部のコンピュータなどに入力され、このコンピュータにより本発明の分析装置の通常行われる動作監視や、あるいは制御により修復可能なエラー動作などの修正が可能である。このようなネットワークによる外部との接続により、いわゆるリモートメンテナンスと呼ばれる一連の保守作業をより容易にかつ確実にし、装置ダウンタイムの削減、信頼性に寄与する。
【００５４】
なお、ネットワークに接続するための手段として図１に示すオンライン手段１７が用いられている。このオンライン手段１７によりＨＩＳやＲＩＳなどのネットワークに接続が可能になっている。
【００５５】
以上説明した第１〜４の実施の形態による本発明の分析装置によれば、バックアップを取るべきパーティションが明確になり、自動・手動のいずれの方法にせよ誤りを防止でき、物理的にメディアを分けることにより、破損に強いシステムとなり、必要な情報のみをバックアップ・リカバリできるので操作効率がよく短時間で済み、必要な情報はすべてバックアップするので信頼性が向上し、ＨＤＤを使うことにより、さらに高速に作業を行うことができる。
【００５６】
また、試薬や標準試料の製造元から得られるファイルから、直接選択登録でき、操作者の操作負担が減らせ、製造元からファイルが得られなくても、一度手入力すれば、出力機能により同一機種の他装置でも使用でき情報の共有化ができるため、操作者の操作負担が減り、また、本機能を有する他の機種でも使用でき、操作者の操作負担を減らすことができる。
【００５７】
また、施設情報を管理しているサーバもしくはファイルから直接選択登録でき、操作者の操作負担が減り、施設情報を管理しているサーバやファイルが得られなくても、一度手入力すれば、出力機能により同一機種の他装置でも使用でき、情報の共有化ができるため、操作者の操作負担が減り、また、本機能を有する他の機種でも使用でき、操作者の操作負担を減らすことができる。
【００５８】
また、サービスセンターなどの遠隔地から、装置の状況を容易に管理・対策でき、装置操作者の操作負担を減らせ、サービス担当者は、専用ソフトウェアなしに、装置の情報ファイルを自分のクライアント上に表示でき、問題があれば編集することもでき、サービス業務の効率も向上させることができる。
【００５９】
また、外部クライアント上で、専用ソフトウェアなしに、データを表示・編集でき、操作者の操作負担が減らせる。
【００６０】
また、装置に必要な情報の一元管理ができ、操作者の負担が減らせる。
【００６１】
なお、以上説明した実施の形態は、本発明の理解を容易にするために記載されたものであって、本発明を限定するために記載されたものではない。したがって、上記の実施の形態に開示された各要素は、本発明の技術的範囲に属する全ての設計変更や均等物をも含む趣旨である。
【００６２】
【発明の効果】
本発明によれば、リカバリにおいて操作者が必要とする状態に速やかに状態復元ができる。
【図面の簡単な説明】
【図１】本発明の第１の実施の形態による分析装置の構成を説明するための概略図を示す。
【図２】本発明の第１の実施の形態による情報記憶手段の構成を説明するための概略図を示す。
【図３】本発明の第１の実施の形態による画面表示を説明するための図を示す。
【図４】本発明の第２の実施の形態によるＣＳＶファイルを説明するための図を示す。
【図５】本発明の第２の実施の形態による画面表示を説明するための図を示す。
【図６】本発明の第２の実施の形態による画面表示を説明するための図を示す。
【図７】本発明の第３の実施の形態によるＸＭＬファイルを説明するための図を示す。
【図８】本発明の第３の実施の形態によるＸＭＬファイルをビュワー表示するための説明の図を示す。
【符号の説明】
１…項目定義情報設定・記憶・表示手段、５…検量線データ記憶・表示手段、１２…依頼／結果データ設定・記憶・表示手段、１５…記憶媒体制御手段、１６…情報記憶手段、１７…オンライン手段、２１…制御部、２３…第１のハードディスク、２４…第２のハードディスク
【図１】
0004550215.tif 000002
【図２】
0004550215.tif 000003
【図３】
0004550215.tif 000004
【図４】
0004550215.tif 000005
【図５】
0004550215.tif 000006
【図６】
0004550215.tif 000007
【図７】
0004550215.tif 000008
【図８】
0004550215.tif 000009